(57)【要約】【課題】        従来の紙書籍、紙媒体の長所と、電子情報を組合せ、新たな読書アートフォームを提供することを課題とする。【解決手段】    本発明の情報媒体は、少なくともコードが付された情報を格納するメモリーと、該コードが符号化されたコード表示が付された紙面を有する書籍と、コード表示読み取り装置と、ディスプレイ部分を備え、紙面に付されたコード表示をコード読み取り装置により読み取ることにより、紙面に関連する情報がディスプレイ部分に表示され、書籍の内容とディスプレイ部分に表示された情報を同時、一体的に認識することができる情報媒体であり、前記ディスプレイ部分が前記書籍と同様の形状であることが好ましく、前記書籍と前記ディスプレイ部分とが、見開きができる本型筐体の見開きの一面と他の面にそれぞれに収められることが好ましい。【選択図】      図１
2006293811.tif 000002
【特許請求の範囲】
【請求項１】
コードが付された情報を格納するメモリーと、該コードが符号化されたコード表示が付された紙面を有する書籍と、コード表示読み取り装置と、ディスプレイ部分を備え、前記紙面に付されたコード表示をコード読み取り装置が読み取ることにより、コードが付された情報がディスプレイ部分に表示され、書籍の内容とディスプレイ部分に表示された情報とを併せて認識することができる情報媒体。
【請求項２】
前記メモリーが前記書籍に付設された請求項１に記載された情報媒体。
【請求項３】
前記書籍が筐体内に、該筐体と一体として形成され、該筐体に前記メモリーが付設された請求項１又は請求項２に記載された情報媒体。
【請求項４】
前記ディスプレイ部分が、前記書籍と類似の形状であり、前記筐体内に着脱可能に装着される請求項３に記載された情報媒体。
【請求項５】
前記筐体に付設されたメモリーの接続スロットが、ヒンジ付き電気接点スロットとして形成され、前記ディスプレイ部分の接続ボードがヒンジ付き接続ボードとなっており、前記接続スロットが前記接続ボードに挿入されることにより、前記書籍付属メモリーと前記ディスプレイ部分とが接続される請求項4に記載された情報媒体。
【発明の詳細な説明】
【技術分野】
【０００１】
本発明は、書籍に記載された内容と、ＩＴにより処理可能な情報とを、一体的に利用することができる新たな情報媒体に関する。
【背景技術】
【０００２】
電子書籍は多様な情報を内蔵し、検索等の優れた機能を有し、小型化による携帯性等にもすぐれ、近年普及が著しい。又外形も見開き型等、多様なものが提供されてきている（例えば特許文献1を参照。）。
【０００３】
しかし電子書籍は、表示範囲が狭い、ページ送りが遅い、複数の書籍との対比ができない、フォントの数が限られる等、紙書籍に比較すると未だ満足できない部分も多く、紙書籍の必要性も高い。
【０００４】
一方、紙媒体書籍にCD‐ROM等が添付されたものが市販されているが、この場合には、紙媒体書籍の情報とCD‐ROM等の情報とは相互に独立で、両情報間に機能的な連関性はない。
【０００５】
【特許文献１】特開２００３−２４１８８３号公報
【発明の開示】
【発明が解決しようとする課題】
【０００６】
本発明は従来の紙媒体としての書籍の長所と、ＩＴが処理可能な多様、多量の情報とを組合せた、新たな情報媒体を提供することを課題とする。
【課題を解決するための手段】
【０００７】
本発明の情報媒体は、少なくともコードが付された情報を格納したメモリーと、該コードが符号化されたコード表示が付された紙面を有する書籍と、コード表示読み取り装置と、ディスプレイ部分を備え、前記紙面に付されたコード表示をコード読み取り装置が読み取ることにより、該紙面に関連する情報がディスプレイ部分に表示され、紙媒体の内容とディスプレイ部分に表示された情報とを併せて認識することができる情報媒体であり、前記メモリーが前記紙媒体に付設されていることが好ましい。
【０００８】
前記ディスプレイ部分が、前記紙媒体と類似の形状であることが好ましく、更に前記紙媒体と前記ディスプレイ部分とが、開閉可能な筐体の見開きの一面、と他の面にそれぞれに収められることが好ましい。
【発明の効果】
【０００９】
本発明により、従来の書籍の長所である俯瞰的な視認、早いページ送り等を維持したうえで、従来の書籍では表現することができない多様、多量な情報を付加して、一体的に利用することができる、新たな情報媒体を提供することができる。
【発明を実施するための最良の形態】
【００１０】
本発明は、タイトルが付された情報を格納したメモリー(以下書籍付属メモリーという。) と、該タイトルを符号化したコード表示が付された紙面を有する書籍 (以下コード付き書籍という。) と、コード表示読み取り装置と、ディスプレイ部分とからなり、該コード表示読み取り装置が、前記紙面に付されたコード表示を読み取ることにより、紙面に関連する情報がディスプレイ部分に表示され、紙書籍の記載を閲読しながら、書籍付属メモリーに格納された情報を、同時、且つ一体的に認識することができる情報媒体である。以下本発明の内容について、図に基づき、詳細に説明する。
【００１１】
図1は本発明の情報媒体の構成概念図である。本発明の情報媒体は少なくとも、コード付き書籍１０と、該書籍の紙面上に付されたコード表示１２と、書籍付属メモリー１４と、コード表示読み取り装置２０と、ディスプレイ部分３０とから構成される。
【００１２】
前記コード付き書籍１０は、通常の書籍と同様に紙により作製され、紙面には印刷により文字、図、その他の必要な事項が記載され、それ自体で一定の内容の情報を提供するものである。該コード付き書籍１０の紙面上の行間、及び／又は余白には、通常の書籍にある注書きのように、コード表示１２が付される。
【００１３】
前記コード表示１２は、書籍付属メモリー１４にタイトルを付して格納された情報が符号化されたもので、コードつき書籍１０の紙面上の該情報に関連する個所に付される。該コード表示はバーコード、２次元コード、ＩＣタグ等の、電子的に読み取られることができるものであれば、いかなる形式のものも用いることができるが、コード表示の情報量とコストの観点からは２次元コードが好ましい。
【００１４】
前記書籍付属メモリー１４には、コード付き書籍の記載内容に関連する情報が、個別にタイトルを付して格納される。前記書籍の記載内容に関連する情報は、文字、写真、図、動画、音声等のＩＴが処理可能な表現形式が広く含くまれる。
【００１５】
前記書籍付属メモリー１４には、既に格納されている情報に加え、新たな情報をインターネットからダウンロードして、タイトルを付して格納されることにより、新たな情報が追加されることができる。前記新たな情報のタイトルはコード表示に変換され、図に示さないプリンターにより印刷されて、前記コードつき書籍に貼付することができる。更に手書きの情報も、タイトルを付して格納され、該タイトルがコード表示に変換、印刷され，該書籍に貼付することにより、前記と同様に追加することができ、いわば落書きとしての機能も有する。
【００１６】
前記書籍付属メモリー１４は、市販の不揮発性メモリーを用いることができ、中でも、コードつき書籍への付設の容易な点からは、メモリーカードが好ましい。該書籍付属メモリー１４は、該書籍付属メモリー１４に接続する接続スロット１６を備え、ディスプレイ部分３０の接続ボード４４と接続する。
【００１７】
前記書籍付属メモリー１４は、前記コード付き書籍１０に付設されることが好ましい。付設の方法としては、前記コード付き書籍に内挿し、又は該コードつき書籍の表面に固着する。更に該コード付き書籍が専用の筐体と一体として形成され、該筐体に書籍付属メモリーを付設することができ、該付設方法は、下記の専用ディスプレイ部分との一体的な使用からは好ましい。
【００１８】
前記筐体は、見開きが可能な箱型とし、見開きの一の面に前記コード付き書籍が固着される。前記書籍が横書きの場合は、該書籍は該筐体の見開きの左面に、縦書きの場合は見開きの右面に、それぞれ固着されることが好ましい。
【００１９】
前記ディスプレイ部分３０は少なくとも、ＣＰＵ、コントローラーを有するマザーボード３２、コード表示読み取り装置コネクター３４、画像出力端子３６、表示部３８、コントロール・ボタン４０、イーサーネット端子４２、接続ボード４４を備え、ＯＳをインターフェースとして、ディスプレイ部分３０と書籍付属メモリー１４に格納された情報とをコントロールする。
【００２０】
前記ディスプレイ部分は更に、スピーカー４６、イヤフォン端子４８を備えることが好ましい。前記ディスプレイ部分として、市販のパーソナルコンピューター(以下ＰＣということがある。) を用いることができる。また、駆動バッテリーを有する専用ディスプレイ部分を用いることもできる。携帯の利便性、書籍との一体的利用等からは、専用ディスプレイ部分を用いることが好ましい。
【００２１】
前記コード表示読み取り装置２０は、一端にコードリーダー２２を有し、該コードリーダーは前記コード表示を光又は電子的手段により読み取る。読み取られたコード表示は電子的信号としてディスプレイ部分に送信され、前記ディスプレイ部分３０内のマザーボード３２によりコード表示に対応した情報を前記メモリーから引き出し、前記表示部に表示する。
【００２２】
なお前記コード読み取り装置２０は、USB、IEEE1394等により、前記ディスプレイ部分のコード表示読み取り装置コネクター３４と接続するが、前記コード読み取り装置２０が通信発信部を内蔵し、前記ディスプレイ部分に通信受信部を設けることにより、無線送信で接続することもできる。
【００２３】
また前記書籍付属メモリー１４に格納された情報は、前記コード読み取り装置により読み取ることにより、表示部に表示されることができる他に、前記ディスプレイ部分のコントロール・ボタンを操作し、前記タイトルを入力することによっても、表示部に表示されることができる。
【００２４】
前記書籍付属メモリーは、インターネットからダウンロードして表示される表示部の情報を読み取り、該情報を追加格納することができる。又該情報はコード表示に変換され、図に示さないプリンターにより印刷される。該印刷されたコード表示が、コード付き書籍１０の紙面に付されることにより、本発明の情報媒体における情報が追加される。
【００２５】
更に表示部に表示される手書きの情報も、前記と同様に、書籍付属メモリーにタイトルを付して格納され、該タイトルがコード表示に変換、印刷され、該書籍に貼付することにより、追加されることができる。
【００２６】
前記コード付き書籍が専用の筐体と一体として形成される場合は、前記ディスプレイ部分は、前記の通り専用ディスプレイ部分であることが好ましい。該専用ディスプレイ部分は、前記コード付き書籍と類似する外形とすることが好ましい。前記コード付き書籍が固着された前記筐体内に、前記専用ディスプレイ部分が装着されることにより、携帯の利便性、一体的利用等が高まり、より好ましい。
【００２７】
前記専用ディスプレイ部分を前記筐体に装着するときは、前記コード付き書籍が固着された面の他の面に、着脱可能に装着される。前記書籍付属メモリーは直接該筐体に装備され、接続スロット１６を専用ディスプレイ部分の接続ボード４４に挿入することにより接続される。
【００２８】
前記ディスプレイ部分として専用ディスプレイ部分が用いられるときは、前記インターネットからダウンロードして表示される表示部の情報の読み取り、及び書籍付属メモリーへの格納は、コントロール・ボタン４０を用いて行なう。又該情報は表示部に手書き入力デバイスであるスタイラス・ペンによって入力することにより、コード表示に変換され、図に示さないプリンターにより印刷される。前記スタイラス・ペンは、前記コード読み取り装置２０に一体として形成されていることが好ましい。
【００２９】
更に前記スタイラス・ペンを用いて表示部に表示される手書きの情報も、同様にコントロール・ボタン４０を用いることにより、書籍付属メモリーにタイトルを付して格納され、該タイトルがコード表示に変換、印刷され、該書籍に貼付することにより、前記と同様に追加されることができる。
【実施例】
【００３０】
以下本発明について、実施例により更に具体的に説明するが、本発明は下記の実施例に限定されるものではない。
図２は、本発明の情報媒体を具体化した、コード付き書籍が固着された筐体（以下書籍部分１００という。）の外観斜視図である。１１０はコード付き書籍、１２０は２次元コード、１３０は接続スロット、１４０は書籍部分の筐体、１５０はコードリーダー保持部、１６０はディスプレイ部分装着部である。なお図２は、筐体１４０を開いて、更にコード付き書籍のページを開いた状態を示す。
【００３１】
前記コード付き書籍１１０は、通常の紙により作製され、該紙面の所定の場所に２次元コードが付されている。該２次元コードは、後記の書籍に関連するコンテンツのタイトルが符号化されたものである。
【００３２】
前記コード付き書籍１１０は、該筐体１４０内に固着して収納されている。該筐体は見開き可能に形成され、周縁に外枠１４２を備える。本実施例の書籍は横書きのために筐体１４０の見開きの左側に固着されているが、該活字が縦書きのときは該見開きの右側に固着される。前記ディスプレイ部分装着部１６０は、前記筐体１４０の見開きの書籍とは反対側である右側に設けられる。
【００３３】
前記筐体内には、図に示さない書籍付属メモリーが付設され、該メモリーの接続スロット１３０は、ヒンジ付き電気接点スロットとして形成され、前記ディスプレイ部分装着部１６０の底部に設けられる。該メモリーは市販のＳＤメモリーカードが用いられ、書籍に関連するコンテンツがタイトルを付して格納されている。
【００３４】
図３はディスプレイ部分１７０の、図４はコードリーダー１９０の、それぞれ概念図である。
【００３５】
図３において、１７２はコントロール・ボタン、１７４はスピーカー、１７６はスピーカーコントロールボタン、１７８は画像出力端子、１７９は表示部、１８０はインサーネット端子、１８２はイヤフォン端子、１８４は接続ボード、１８８は通信受信部をそれぞれ示す。また前記ディスプレイ部分１７０は、図に示さないマザーボードを内蔵する。
【００３６】
前記接続ボード１８４はヒンジ付き接続ボードとなっており、前記ディスプレイ部分１７０は、前記書籍部分のディスプレイ部分装着部１６０に着脱可能に嵌合され、前記メモリーの接続スロット１３０が、前記接続ボード１８４に挿入されることにより、前記ディスプレイ部分１７０と前記書籍付属メモリーが接続されるとともに、前記ディスプレイ部分１７０は前記筐体に固定される。
【００３７】
前記コードリーダー１９０の通信発信部１９２は、ディスプレイ部分１７０の通信受信部１８８と無線により接続されている。該コードリーダーはリーダー部１９４を有し、さらにリーダー部の先端が、スタイラス・ペンとしての機能を有している。前記書籍付属メモリーに保存されたコンテンツは、２次元コード１２０上を、前記コードリーダー１９０のリーダー部１９４が翳されことにより読み取られ、ディスプレイ部分１７０の表示部１７９に表示される。
【００３８】
前記書籍付属メモリーには、インターネットからダウンロードして表示される表示部の情報を、コントロール・ボタン１７２の操作により、該情報を追加格納することができる。又該情報は表示部を前記コントロール・ボタン１７２の操作により入力することにより、二次元コードに変換され、図に示さないプリンターにより印刷される。該印刷された２次元コードがコード付き書籍１１０の紙面に付されることにより、本発明の情報媒体における情報が追加される。
【００３９】
前記情報は更に、前記表示部を前記リーダー部１９４のスタイラス・ペン機能により入力することによっても、二次元コードに変換され、図に示さないプリンターにより印刷される。該印刷された２次元コードがコード付き書籍１１０の紙面に付されることにより、本発明の情報媒体における情報が追加される。更に手書きの表示部に表示された情報も、コントロール・ボタン１７２の操作により、及び前記リーダー部１９４のスタイラス・ペン機能による入力により、タイトルを付して格納され、該タイトルがコード表示に変換、印刷され，該書籍に貼付することにより、前記と同様に追加することができる。
【００４０】
該筐体内にディスプレイ部が装着された上で、閉じた状態を図５に示す。筐体１４０は、コード付き書籍１１０、及びディスプレイ部分１８０を保護する。該筐体は紙により作製され、通常の書籍と同様な外形を有し、軽量、小型で、携帯性に富む。
【産業上の利用可能性】
【００４１】
従来の書籍の長所を維持し、且つ従来の書籍においては表現しきれなかった大きな情報を付加した新たな情報媒体である。
【図面の簡単な説明】
【００４２】
【図１】本発明の情報媒体の構成概念図である。
【図２】本発明の実施例の書籍部分の筐体を開いた状態を示す外観図である。
【図３】本発明の実施例のディスプレイ部分外観図である。
【図４】本発明の実施例のコードリーダー外観図である。
【図５】本発明の実施例の書籍部分の筐体を閉じた状態を示す外観図である。
【符号の説明】
【００４３】
１０    コード付き書籍
１２    コード表示
１４    書籍付属メモリー
１６    接続スロット  
２０    コード表示読み取り装置
２２    コードリーダー
３０    ディスプレイ部分
３２    マザーボード
３４    コード表示読み取り装置コネクター
３６    画像出力端子
３８    表示部
４０    コントロールボタン
４２    イーサーネット端子
４４    接続ボード
４６    スピーカー
４８    イヤフォン端子
１００    書籍部分
１１０    コード付き書籍
１２０    ２次元コード
１３０    接続スロット
１４０    書籍部分の筐体
１４２    外枠  
１５０    コードリーダー保持部
１６０    ディスプレイ部分装着部
１７０    ディスプレイ部分
１７２    コントロール・ボタン
１７４    スピーカー
１７６    スピーカーコントロールボタン
１７８    画像出力端子  
１７９    表示部
１８０    インサーネット端子
１８２    イヤフォン端子
１８４    接続ボード
１８８    通信受信部      
１９０    コードリーダー  
１９２    通信発信部
１９４    リーダー部
【図１】
2006293811.tif 000003
【図２】
2006293811.tif 000004
【図３】
2006293811.tif 000005
【図４】
2006293811.tif 000006
【図５】
2006293811.tif 000007